(57)【特許請求の範囲】
【請求項１】
室内に配置されている調理器と、
室内に配置されているとともに前記調理器と無線通信可能な室内機器と、
前記調理器と無線通信可能な携帯情報端末を備えており、
前記調理器は、ユーザーによる前記携帯情報端末の操作によって前記携帯情報端末と無線通信で接続される第１接続状態と、前記室内機器と無線通信で接続される第２接続状態を確立可能であり、前記第１接続状態が確立されていない間は前記第２接続状態の確立を許可する接続許可信号を前記室内機器に定期的に送信し、前記第１接続状態が確立されている間は前記接続許可信号を前記室内機器に送信しない、通信システム。
【請求項２】
前記室内機器は、室内の空気質を検知する空気質検知器であり、
前記調理器は、前記第１接続状態を確立中に前記空気質検知器から接続要求信号を受信した場合に、前記第１接続状態を切断して前記第２接続状態を確立する、請求項１に記載の通信システム。
【請求項３】
前記空気質検知器は、検知した室内の空気質に応じて前記調理器に前記接続要求信号を送信する、請求項２に記載の通信システム。
【請求項４】
前記調理器は、前記第１接続状態が確立されている間、前記空気質検知器に動作状態を示す動作状態信号を定期的に送信しており、
前記空気質検知器は、前記動作状態信号に基づいて前記調理器が動作していると判断される場合にのみ前記調理器に前記接続要求信号を送信する、請求項３に記載の通信システム。
【請求項５】
前記調理器は、前記第２接続状態が確立されているときに、前記空気質検知器が検知した室内の空気質に応じた運転状態となる、請求項３または４に記載の通信システム。
【発明の詳細な説明】
【技術分野】
【０００１】
本明細書に開示する技術は、通信システムに関する。
【背景技術】
【０００２】
特許文献１に開示されている通信システムは、室内に配置されている調理器と、調理器と無線通信可能な携帯情報端末を備えている。この通信システムでは、調理器と携帯情報端末が無線通信で接続され、調理器と携帯情報端末の間で各種の情報が送受信される。
【先行技術文献】
【特許文献】
【０００３】
【特許文献１】特開２０１５−１５８３４４号公報
【発明の概要】
【発明が解決しようとする課題】
【０００４】
携帯情報端末以外にも調理器と無線通信可能な機器を室内に配置することがある。例えば、室内の空気質を検知する空気質検知器を室内に配置し、この空気質検知器と調理器を無線通信可能な状態とすることがある。このような構成では、調理器が、携帯情報端末と無線通信で接続されるだけではなく、空気質検知器とも無線通信で接続される。調理器に搭載された単一の無線通信インターフェースを用いて、携帯情報端末との無線通信による接続と、空気質検知器との無線通信による接続の両方を実現しようとすると、調理器と携帯情報端末の接続が調理器と空気質検知器の接続によって邪魔されてしまい、調理器と携帯情報端末がうまく連携しないことがある。そこで本明細書は、携帯情報端末以外に調理器と無線通信可能な機器が存在する場合に、その機器との通信を確認しつつ、調理器と携帯情報端末が連携しやすい技術を提供する。
【課題を解決するための手段】
【０００５】
本明細書に開示する通信システムは、室内に配置されている調理器と、室内に配置されているとともに調理器と無線通信可能な室内機器と、調理器と無線通信可能な携帯情報端末を備えている。調理器は、ユーザーによる携帯情報端末の操作によって携帯情報端末と無線通信で接続される第１接続状態と、室内機器と無線通信で接続される第２接続状態を確立可能であり、第１接続状態が確立されていない間は第２接続状態の確立を許可する接続許可信号を室内機器に定期的に送信しており、第１接続状態が確立されている間は接続許可信号を室内機器に送信しない。
【０００６】
このような構成によれば、第１接続状態が確立されていない間は、調理器から室内機器に接続許可信号が定期的に送信される。これによって、室内機器は、調理器から接続許可信号を受信することによって、調理器との通信を定期的に確認することができる。したがって、室内機器は、緊急時には調理器と無線通信で第２接続状態を確立できる状態であることを定期的に確認できる。また、上記の構成によれば、第１接続状態が確立されている間は調理器から室内機器に接続許可信号が送信されないので、第２接続状態が確立されることがない。したがって、第１接続状態が確立されている間は、第１接続状態を確実に維持することができる。このように、上記の通信システムによれば、調理器と室内機器の通信を定期的に確認しつつ、第１接続状態（調理器と携帯情報端末の接続）が確立されると、第１接続状態を確実に維持することができる。よって、携帯情報端末以外に調理器と無線通信可能な機器が存在する場合に、その機器との通信を確認しつつ、調理器と携帯情報端末が連携しやすい状態にすることができる。
【０００７】
また、上記の通信システムにおいて、室内機器は、室内の空気質を検知する空気質検知器であってもよい。また、調理器は、第１接続状態を確立中に空気質検知器から接続要求信号を受信した場合に、第１接続状態を切断して第２接続状態を確立してもよい。
【０００８】
このような構成によれば、第１接続状態が確立されていても、例えば緊急時に、空気質検知器からの要求に応じて調理器の動作を変更する必要がある場合などに、空気質検知器の要求に応えて第１接続状態を切断して第２接続状態を確立することができる。
【０００９】
また、空気質検知器は、検知した室内の空気質に応じて調理器に接続要求信号を送信してもよい。
【００１０】
このような構成によれば、例えば室内の空気の状態が悪化して、調理器の動作を変更する必要がある場合に、第１接続状態を切断して第２接続状態を確立することができる。
【００１１】
また、調理器は、第１接続状態が確立されている間、空気質検知器に動作状態を示す動作状態信号を定期的に送信してもよく、空気質検知器は、動作状態信号に基づいて調理器が動作していると判断される場合にのみ調理器に接続要求信号を送信してもよい。
【００１２】
多くの場合、空気質検知器と調理器との間の無線通信による第２接続状態は、現在調理器が行っている動作を変更する必要がある場合に行われる。このため、空気質検知器と調理器との間の無線通信による第２接続状態は、調理器が動作していないときは行なう必要がない。これに対して、携帯情報端末と調理器との間の無線通信による第１接続状態は、調理器が動作しているときに行われることもあるし、調理器が動作していないときに行われることもある。上記の構成によれば、調理器が動作していない場合には、第１接続状態を切断して第２接続状態を確立することがない。これによって、第１接続状態を確実に維持することができる。
【００１３】
また、調理器は、第２接続状態が確立されているときに、空気質検知器が検知した室内の空気質に応じた運転状態となることが好ましい。
【００１４】
このような構成によれば、空気質検知器が検知した室内の空気質に応じた状態で調理器が動作することによって、室内の空気質が悪化するのを抑制することができる。例えば、ある時点において、室内の空気質が「正常」であり、調理器の火力が「強」であるとする。この状態から時間が経過したときに、調理器の火力「強」に起因して室内の空気質が悪化し、空気質検知器が検知した室内の空気質が「正常」から「とても悪い」に変化したとする。その場合、調理器がその空気質「とても悪い」に応じた火力「消火」で動作する。そうすると、室内の空気質が悪化したときに調理器の火力が抑制されるので、室内の空気質が悪化することが抑制される。
【図面の簡単な説明】
【００１５】
【図１】実施例に係る通信システムが設置されている室の立面図である。
【図２】実施例に係る通信システムのブロック図である。
【図３】実施例に係る通信システムの動作を説明するための図である。
【図４】ガスコンロが実行する処理を示すフローチャートである。
【発明を実施するための形態】
【００１６】
図１に示すように、実施例に係る通信システム１は、ガスコンロ２０と、レンジフード３０と、センサ４０と、警報器７０と、スマートフォン６０を備えている。通信システム１は、例えば、マンションや戸建における室９に設置される。
【００１７】
室９の内部領域である室内９０は、キッチン領域９１と、キッチン領域９１の外部にあるダイニング領域９２に分けられる。キッチン領域９１では、ユーザーが調理を行うことができる。ダイニング領域９２では、ユーザーが食事を行うことができる。
【００１８】
ガスコンロ２０（調理器の一例）は、キッチン領域９１に配置されている。ガスコンロ２０は、ガスを燃焼させた火力を利用してユーザーが調理を行うための機器である。ユーザーが調理を行うとガスコンロ２０の周囲に熱、水分、煙および油分等が生じる。ガスコンロ２０は、バーナー２１と、バーナー２１の点火または消火をするためのスイッチ２２と、バーナー２１の火力を調節するための調節部２３を備えている。ガスコンロ２０の動作状態は調節可能である。具体的には、ガスコンロ２０は、バーナー２１の火力を多段階で調節できるように構成されている。例えば、バーナー２１の火力を「消火」、「弱」、「中」、「強」の４段階で調節することができる。ユーザーがスイッチ２２を入れるとバーナー２１が点火し、スイッチ２２を切るとバーナー２１が消火する。また、ユーザーが調節部２３を操作するとバーナー２１の火力状態を調節することができる。
【００１９】
レンジフード３０は、キッチン領域９１に配置されている。レンジフード３０は、ガスコンロ２０の上方に配置されており、ガスコンロ２０と対向している。レンジフード３０は、ファン３１とカバー３２を備えている。レンジフード３０は、ファン３１が回転することによって室内９０の空気を換気する。カバー３２はファン３１を覆っている。レンジフード３０は、ファン３１の回転速度を多段階で調節することによって、室内９０の空気を換気する風量を多段階で調節できるように構成されている。例えば、換気の風量を「０（停止）」、「弱」、「中」、「強」の４段階で調節することができる。レンジフード３０は、風量が「０（停止）」である場合は動作しない。
【００２０】
センサ４０（空気質検知器の一例）は、キッチン領域９１に配置されている。センサ４０は、室内９０に配置されている室内機器である。センサ４０は、室内９０の空気質を継続的に検知している。センサ４０は、ガスコンロ２０から離れた位置に配置されている。また、センサ４０は、後述する警報器７０の筐体内に設けられている。
【００２１】
室内９０の空気質は、例えば、室内９０の空気の温度、湿度、臭気、室内９０に配置された燃焼式器具の燃焼排ガス、未燃ガス等によって変化する。例えば、室内９０に配置されているゴミ箱の中のゴミや調理中の料理から臭気や煙が発生したり、ガスコンロ２０や室内９０に配置されている燃焼式暖房機の燃焼排ガスが増加した場合には室内９０の空気質が悪化する。センサ４０は、検知した室内９０の空気質を所定の基準に照らしてランク分けすることができる。例えば、センサ４０は、室内９０の空気質を「正常」、「やや悪い」、「悪い」、「とても悪い」の４つにランク分けすることができる。例えば、室内９０の空気の温度が２５℃であり、湿度が５０％であり、臭気や煙が発生していない場合は、室内９０の空気質は「正常」のランクに該当する。また、例えば、室内９０の空気質が悪化した場合は、悪化の程度に応じて、室内９０の空気質が「やや悪い」、「悪い」、「とても悪い」のいずれかのランクに該当する。
【００２２】
警報器７０は、キッチン領域９１に配置されている。警報器７０は、ガスコンロ２０から離れた位置に配置されている。警報器７０は、室内９０の空気質に異常がある場合にその異常を周囲に知らせるブザー、スピーカー、ランプ等の報知手段８０を備えている。
【００２３】
スマートフォン６０（携帯情報端末の一例）は、ユーザーが携帯して持ち歩くことができる機器である。スマートフォン６０は、各種の情報処理や通信を行うことができる。
【００２４】
上記のガスコンロ２０とセンサ４０とスマートフォン６０のそれぞれは、無線通信部（図示せず）を備えている。無線通信部が行なう無線通信としては、例えばＢｌｕｅｔｏｏｔｈ（登録商標）ＬｏｗＥｎｅｒｇｙによる通信を用いることができる。ＢｌｕｅｔｏｏｔｈＬｏｗＥｎｅｒｇｙは、デジタル機器用の近距離無線通信規格である。ガスコンロ２０とセンサ４０は、無線通信部を介して無線通信可能である。本実施例では、センサ４０がマスター（親機）であり、ガスコンロ２０がスレーブ（子機）である。また、ガスコンロ２０とスマートフォン６０も、無線通信部を介して無線通信可能である。本実施例では、スマートフォン６０がマスター（親機）であり、ガスコンロ２０がスレーブ（子機）である。
【００２５】
図２に示すように、上記の通信システム１では、ガスコンロ２０とスマートフォン６０が無線通信で接続される第１接続状態Ｃ１と、ガスコンロ２０とセンサ４０が無線通信で接続される第２接続状態Ｃ２が存在する。この通信システム１では、第１接続状態Ｃ１と第２接続状態Ｃ２のいずれか一方を確立することができる。第１接続状態Ｃ１が確立されているときは、第２接続状態Ｃ２が確立されない。反対に、第２接続状態Ｃ２が確立されているときは、第１接続状態Ｃ１が確立されない。
【００２６】
次に、通信システムの動作について説明する。まず、初期状態では、室内９０の空気質が「正常」であるとする。センサ４０が室内９０の空気質を継続的に検知している。また、ガスコンロ２０の火力が「強」であるとする。例えば、ユーザーがガスコンロ２０において「強」の火力を用いて調理を行っている。
【００２７】
また、図３に示すように、ガスコンロ２０とスマートフォン６０が無線通信によって接続されているとする。すなわち、第１接続状態Ｃ１が確立されているとする。
【００２８】
この状態で、ガスコンロ２０が、動作状態信号を定期的に周囲に送信している（Ｓ１１）。動作状態信号は、ガスコンロ２０の動作状態を示す信号である。動作状態信号は、例えば、ガスコンロ２０が点火している場合は、「動作している」状態を示し、ガスコンロ２０が点火していない（消火状態である）場合は、「動作していない」状態を示す。動作状態信号は、センサ４０のみに対して送信されるのではなく、ガスコンロ２０の周囲に存在する不特定多数の機器に対して一方的に送信される信号である。センサ４０は、ガスコンロ２０が送信した動作状態信号を受信することができる。センサ４０は、受信した動作状態信号に基づいて、ガスコンロ２０の動作状態を認識することができる。
【００２９】
この状態から時間が経過したときに、室内９０の空気質が悪化して「正常」から「とても悪い」に変化したとする。例えば、ユーザーがガスコンロ２０で調理を行うことによって煙が発生し、発生した煙によって室内９０の空気質が悪化したとする。
【００３０】
室内９０の空気質はセンサ４０によって検知されている。センサ４０は、検知した室内９０の空気質が「とても悪い」に該当するか否かを判断する。また、センサ４０は、ガスコンロ２０から受信した上記の動作状態信号に基づいて、ガスコンロ２０が動作しているか否かを判断する。室内９０の空気質が「とても悪い」に該当する場合、かつ、ガスコンロ２０が動作している（点火している）場合は、センサ４０は、接続要求信号をガスコンロ２０に送信する（Ｓ１２）。一方、室内９０の空気質が「とても悪い」に該当しない（「正常」、「やや悪い」または「悪い」に該当する）場合は、センサ４０は、接続要求信号をガスコンロ２０に送信しない。あるいは、ガスコンロ２０が動作していない（消火状態である）場合は、センサ４０は、接続要求信号をガスコンロ２０に送信しない。今回の例では、センサ４０が検知した室内９０の空気質が「とても悪い」に該当しており、かつ、ガスコンロ２０が動作している（点火している）ので、図３に示すように、センサ４０が、接続要求信号をガスコンロ２０に送信する（Ｓ１２）。接続要求信号は、ガスコンロ２０に対してセンサ４０との接続状態を確立することを要求するための信号である。センサ４０が送信した接続要求信号をガスコンロ２０が受信する。
【００３１】
次に、ガスコンロ２０が、応答信号をセンサ４０に送信する（Ｓ１３）。応答信号は、上記の接続要求信号に対して、センサ４０とガスコンロ２０との接続状態を確立しても問題無いと応答するための信号である。ガスコンロ２０が送信した応答信号をセンサ４０が受信する。
【００３２】
次に、ガスコンロ２０が、切断信号をスマートフォン６０に送信する（Ｓ１４）。切断信号は、スマートフォン６０とガスコンロ２０との接続状態を切断するための信号である。ガスコンロ２０が送信した切断信号をスマートフォン６０が受信する。スマートフォン６０が切断信号を受信すると、ガスコンロ２０とスマートフォン６０の第１接続状態Ｃ１が切断される。
【００３３】
次に、ガスコンロ２０が、接続許可信号をセンサ４０に送信する（Ｓ１５）。接続許可信号は、ガスコンロ２０との接続状態の確立を許可するための信号である。この接続許可信号は、上記の応答信号とは異なる信号である。ガスコンロ２０は、接続許可信号を複数回にわたって送信する。ガスコンロ２０が送信した接続許可信号をセンサ４０が受信する。
【００３４】
次に、センサ４０が、接続確立信号をガスコンロ２０に送信する（Ｓ１６）。接続確立信号は、ガスコンロ２０とセンサ４０の接続状態を確立するための信号である。センサ４０が送信した接続確立信号をガスコンロ２０が受信する。ガスコンロ２０が接続確立信号を受信すると、ガスコンロ２０とセンサ４０の第２接続状態Ｃ２が確立される。
【００３５】
第２接続状態Ｃ２が確立されると、センサ４０が、検知した室内９０の空気質に応じた火力情報をガスコンロ２０に送信する（Ｓ３１）。火力情報は、ガスコンロ２０の火力を設定するための情報であり、センサ４０が検知した室内９０の空気質に応じたガスコンロ２０の火力を示す情報である。今回の例では、センサ４０が検知した室内９０の空気質「とても悪い」に応じたガスコンロ２０の火力「消火」を示す火力情報が、センサ４０からガスコンロ２０に送信される。センサ４０が送信した火力情報をガスコンロ２０が受信する。
【００３６】
ガスコンロ２０は、火力情報を受信すると、自身の火力を火力情報が示す火力に変更する。今回の例では、ガスコンロ２０が、火力を「強」から「消火」に変更する。これによって、ガスコンロ２０は、センサ４０が検知した室内９０の空気質「悪い」に応じた火力「消火」となる。
【００３７】
センサ４０は、火力情報をガスコンロ２０に送信（Ｓ３１）した後に、切断信号をガスコンロ２０に送信する（Ｓ１７）。切断信号は、センサ４０とガスコンロ２０との接続状態を切断するための信号である。センサ４０が送信した切断信号をガスコンロ２０が受信する。ガスコンロ２０が切断信号を受信すると、ガスコンロ２０とセンサ４０の第２接続状態Ｃ２が切断される。
【００３８】
第２接続状態Ｃ２が切断されると、ガスコンロ２０が図４に示す処理を行う。図４に示すように、Ｓ５０では、ガスコンロ２０が、接続許可信号をスマートフォン６０に送信する。このＳ５０の処理は、図３のＳ１８の処理に対応する。接続許可信号は、ガスコンロ２０とスマートフォン６０の接続状態の確立を許可するための信号である。ガスコンロ２０は、接続許可信号を複数回にわたってスマートフォン６０に送信する。ガスコンロ２０が送信した接続許可信号をスマートフォン６０が受信する。
【００３９】
図４に示すように、続くＳ５１では、ガスコンロ２０が、スマートフォン６０から接続確立信号を受信したか否かを判断する。接続確立信号は、ガスコンロ２０とスマートフォン６０の接続状態を確立するための信号である。ガスコンロ２０は、スマートフォン６０から接続確立信号を受信した場合は、Ｓ５１でＹｅｓと判断してＳ６１に進む。ガスコンロ２０が接続確立信号を受信すると、Ｓ６１では、ガスコンロ２０とスマートフォン６０の第１接続状態Ｃ１が確立される。一方、ガスコンロ２０は、スマートフォン６０から接続要求信号を受信していない場合は、Ｓ５１でＮｏと判断してＳ５２に進む。
【００４０】
続くＳ５２では、ガスコンロ２０が、上記のＳ５０でスマートフォン６０に接続許可信号を送信してから所定の時間が経過しているか否かを判断する。スマートフォン６０に接続許可信号を送信してから所定の時間が経過している場合は、ガスコンロ２０は、Ｓ５２でＹｅｓと判断してＳ５３に進む。一方、スマートフォン６０に接続許可信号を送信してから所定の時間が経過していない場合は、ガスコンロ２０は、Ｓ５２でＮｏと判断してＳ５１に戻る。
【００４１】
続くＳ５３では、ガスコンロ２０が、接続許可信号をセンサ４０に送信する。このＳ５３の処理は、図３のＳ１９の処理に対応する。接続許可信号は、ガスコンロ２０とセンサ４０の接続状態の確立を許可するための信号である。ガスコンロ２０は、接続許可信号を複数回にわたってセンサ４０に送信する。ガスコンロ２０が送信した接続許可信号をセンサ４０が受信する。センサ４０は、接続許可信号をガスコンロ２０から受信することによって、ガスコンロ２０との通信を確認することができる。
【００４２】
また、ガスコンロ２０は、図４に示すＳ５３の処理が終了してから所定の時間が経過すると、上記のＳ５０〜Ｓ５３とＳ６１の処理を繰り返す。したがって、図３に示すように、ガスコンロ２０は、スマートフォン６０に接続許可信号を送信する処理（Ｓ１８、Ｓ５０）と、センサ４０に接続許可信号を送信する処理（Ｓ１９、Ｓ５３）を所定の時間間隔で定期的に繰り返す。
【００４３】
続いて、上記のＳ１８（Ｓ５０）の処理が行われているタイミングで、スマートフォン６０のユーザーが、ガスコンロ２０とスマートフォン６０の第１接続状態Ｃ１を確立するために、スマートフォン６０を操作したとする。そうすると、スマートフォン６０が、接続確立信号をガスコンロ２０に送信する（Ｓ２０）。接続確立信号は、ガスコンロ２０とスマートフォン６０の接続状態を確立するための信号である。スマートフォン６０が送信した接続確立信号をガスコンロ２０が受信する。この処理は図４のＳ５１の処理に対応する。ガスコンロ２０が接続確立信号を受信すると、ガスコンロ２０とスマートフォン６０の第１接続状態Ｃ１が確立される。この処理は図４のＳ６１の処理に対応する。
【００４４】
第１接続状態Ｃ１が確立されると、ガスコンロ２０が、現在情報をスマートフォン６０に送信する（Ｓ３２）。現在情報は、ガスコンロ２０の現在の火力状態を示す情報である。今回の例では、ガスコンロ２０の現在の火力「消火」を示す現在情報が、ガスコンロ２０からスマートフォン６０に送信される。ガスコンロ２０が送信した現在情報をスマートフォン６０が受信する。そうすると、スマートフォン６０のユーザーが、ガスコンロ２０の現在の火力状態をスマートフォン６０を介して確認することができる。また、第１接続状態Ｃ１が確立されると、スマートフォン６０のユーザーがスマートフォン６０を操作することによって、ガスコンロ２０の火力を調節することもできる。また、第１接続状態Ｃ１が確立されると、図３の初期状態と同じ状態になる。また、第１接続状態Ｃ１が確立されている間は、ガスコンロ２０からセンサ４０に接続許可信号（Ｓ１５、Ｓ１９参照）が送信されない。
【００４５】
以上、通信システムの構成と動作について説明した。上述したように、通信システム１は、室内９０に配置されているガスコンロ２０と、室内９０に配置されているとともにガスコンロ２０と無線通信可能なセンサ４０と、ガスコンロ２０と無線通信可能なスマートフォン６０を備えている。ガスコンロ２０は、ユーザーによるスマートフォン６０の操作によってスマートフォン６０と無線通信で接続される第１接続状態Ｃ１を確立可能である。また、ガスコンロ２０は、センサ４０と無線通信で接続される第２接続状態Ｃ２を確立可能である。ガスコンロ２０は、第１接続状態Ｃ１と第２接続状態Ｃ２のいずれか一方を確立可能である。また、上記の通信システム１では、第１接続状態Ｃ１が確立されていない間は第２接続状態Ｃ２の確立を許可する接続許可信号をセンサ４０に定期的に送信する。第１接続状態Ｃ１が確立されている間は接続許可信号をセンサ４０に送信しない。
【００４６】
ガスコンロ２０と無線通信可能なセンサ４０とスマートフォン６０の両者が存在すると、ガスコンロ２０とセンサ４０による第１接続状態Ｃ１と、ガスコンロ２０とスマートフォン６０による第２接続状態Ｃ２の両者を確立することができる。上記のような構成によれば、第１接続状態Ｃ１（ガスコンロ２０とスマートフォン６０の接続状態）が確立されている間はガスコンロ２０からセンサ４０に接続許可信号が送信されないので、第２接続状態Ｃ２（ガスコンロ２０とセンサ４０の接続状態）が確立されることがない。したがって、第１接続状態Ｃ１が確立されている間は、第１接続状態Ｃ１を確実に維持することができる。よって、ガスコンロ２０とスマートフォン６０が連携しやすい。また、上記のような構成によれば、第１接続状態Ｃ１が確立されていない間に接続許可信号がガスコンロ２０からセンサ４０に定期的に送信される。これによって、センサ４０は、ガスコンロ２０から接続許可信号を受信することによって、ガスコンロ２０との通信を定期的に確認することができる。したがって、センサ４０は、緊急時にはガスコンロ２０と無線通信で第２接続状態Ｃ２を確立できる状態であることを定期的に確認できる。以上より、上記の通信システム１によれば、スマートフォン６０以外にガスコンロ２０と無線通信可能なセンサ４０が存在する場合に、センサ４０との通信を確認しつつ、ガスコンロ２０とスマートフォン６０が連携しやすい状態にすることができる。
【００４７】
上記の通信システム１において、ガスコンロ２０は、室内９０の空気質を検知するセンサ４０から接続要求信号を受信した場合に、第１接続状態Ｃ１を切断して第２接続状態Ｃ２を確立する。このような構成によれば、例えば室内９０の空気質が「とても悪い」に悪化してガスコンロ２０の火力を「消火」に変更する必要がある場合等に、センサ４０の要求に応えて第１接続状態Ｃ１を切断して第２接続状態Ｃ２を確立することができる。
【００４８】
また、上記の通信システム１では、センサ４０が、検知した室内９０の空気質に応じてガスコンロ２０に接続要求信号を送信する。このような構成によれば、例えば室内９０の空気質が「とても悪い」に悪化してガスコンロ２０の火力を「消火」に変更する必要がある場合等に、センサ４０の要求に応えて第１接続状態Ｃ１を切断して第２接続状態Ｃ２を確立することができる。
【００４９】
また、上記の通信システム１では、ガスコンロ２０が、第１接続状態Ｃ１が確立されている間、センサ４０に動作状態を示す動作状態信号を定期的に送信している。これによって、センサ４０は、ガスコンロ２０が動作していることを認識できる。センサ４０は、動作状態信号に基づいてガスコンロ２０が動作していると判断される場合にのみガスコンロ２０に接続要求信号を送信する。このような構成によれば、ガスコンロ２０が動作している場合にのみセンサ４０の要求に応えることができ、ガスコンロ２０が動作してない場合はセンサ４０の要求に応えない。ガスコンロ２０のバーナー２１が点火している場合にのみ、センサ４０の要求に応える。バーナー２１が消火している場合は、センサ４０の要求に応えない。したがって、必要な場合にのみセンサ４０の要求に応えることができる。
【００５０】
ガスコンロ２０とセンサ４０の第２接続状態Ｃ２は、現在ガスコンロ２０が行っている動作を変更する必要がある場合に行われる。このため、ガスコンロ２０とセンサ４０の第２接続状態Ｃ２は、ガスコンロ２０が動作していないときは行なう必要がない。これに対して、スマートフォン６０とガスコンロ２０の第１接続状態Ｃ２は、ガスコンロ６０が動作しているときに行われることもあるし、ガスコンロ６０が動作していないときに行われることもある。上記の構成によれば、ガスコンロ６０が動作していない場合には、第１接続状態Ｃ１を切断して第２接続状態Ｃ２を確立することがない。これによって、第１接続状態Ｃ１を確実に維持することができる。
【００５１】
また、ガスコンロ２０は、第２接続状態Ｃ２が確立されているときに、センサ４０が検知した室内９０の空気質に応じた状態となる。このような構成によれば、室内９０の空気質が悪化するのを抑制することができる。例えば、上述したように室内９０の空気質が「正常」であり、ガスコンロ２０の火力が「強」である初期状態から時間が経過したときに、室内９０の空気質が「正常」から「とても悪い」に悪化したとする。そうすると、センサ４０が、検知した室内９０の空気質「とても悪い」に応じたガスコンロ２０の火力「消火」を示す火力信号をガスコンロ２０に送信する。ガスコンロ２０は、室内９０の空気質「とても悪い」に応じた火力「消火」となる。これによって、室内９０の空気質が悪化したときにガスコンロ２０の火力が「強」から「消火」に抑制されるので、室内９０の空気質が悪化することが抑制される。
【００５２】
以上、一実施例について説明したが、具体的な態様は上記実施例に限定されるものではない。例えば、上記の実施例では、携帯情報端末の一例としてスマートフォン６０が記載されているが、これに限定されるものではない。携帯情報端末の他の例としては、タブレットや携帯電話等を挙げることができる。
【００５３】
また、上記の実施例では、室内機器の一例として空気質検知器（センサ４０）が記載されているが、これに限定されるものではない。室内機器の他の例としては、ＨＥＭＳ（Home Energy Management System）のコントローラーや給湯器のリモコン等を挙げることができる。
【００５４】
また、上記の実施例では、Ｓ３１でセンサ４０がガスコンロ２０に「消火」を示す火力信号を送信していたが、この構成に限定されるものではなく、火力「弱」を示す火力信号を送信してもよい。
【００５５】
また、他の実施例では、上記のＳ１９でガスコンロ２０が接続許可信号をセンサ４０に送信した後に、センサ４０が接続確立信号をガスコンロ２０に送信してもよい。ガスコンロ２０が接続確立信号を受信すると第２接続状態Ｃ２が確立される。
【００５６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
１    ：通信システム
９    ：室
２０  ：ガスコンロ
２１  ：バーナー
２２  ：スイッチ
２３  ：調節部
３０  ：レンジフード
３１  ：ファン
３２  ：カバー
４０  ：センサ
６０  ：スマートフォン
７０  ：警報器
８０  ：報知手段
９０  ：室内
９１  ：キッチン領域
９２  ：ダイニング領域
Ｃ１  ：第１接続状態
Ｃ２  ：第２接続状態
【図１】
0006647086.tif 000002
【図２】
0006647086.tif 000003
【図３】
0006647086.tif 000004
【図４】
0006647086.tif 000005